(57)【要約】【課題】【解決手段】本発明は、ケーブル型二次電池の連結用ソケットに関し、ケーブル型二次電池の第１極性端子と電気的に接続できる第１連結部と、他のケーブル型二次電池の第２極性端子と電気的に接続できる第２連結部と、第１連結部及び第２連結部の少なくとも１つが回動自在であり、第１及び第２連結部と電気的に連結される本体とを備える。【選択図】      図１
2013542576.tif 000002
【特許請求の範囲】
【請求項１】
ケーブル型二次電池の第１極性電極の端子と電気的に接続できる第１連結部と、
他のケーブル型二次電池の第２極性電極の端子と電気的に接続できる第２連結部と、
前記第１連結部及び前記第２連結部の少なくとも１つが回動自在であり、前記第１連結部及び前記第２連結部と電気的に連結される本体と、を備えることを特徴とするケーブル型二次電池の連結用ソケット。
【請求項２】
前記第１連結部及び前記第２連結部のいずれか１つは、それに対応する前記第１極性電極の端子または前記第２極性電極の端子の位置を固定する固定部材をさらに備えることを特徴とする請求項１に記載のケーブル型二次電池の連結用ソケット。
【請求項３】
前記固定部材は、前記第１連結部及び前記第２連結部の少なくとも１つに設けられた留め金を備えることを特徴とする請求項２に記載のケーブル型二次電池の連結用ソケット。
【請求項４】
前記第１極性電極は正極または負極の一方であり、前記第２極性電極は正極または負極の他方であることを特徴とする請求項１に記載のケーブル型二次電池の連結用ソケット。
【請求項５】
前記ケーブル型二次電池は、第１極性電極、第２極性電極および前記第１極性電極と前記第２極性電極との間に介在されたセパレータまたは電解質を含む細長い電極組立体を備え、
前記第１極性電極及び／または前記第２極性電極は長さ方向に直交する断面が円形、非対称楕円形または多角形である集電体の表面に電極活物質が塗布されて形成されることを特徴とする請求項１に記載のケーブル型二次電池の連結用ソケット。
【請求項６】
前記ケーブル型二次電池は少なくとも２つ以上の単位ケーブル型二次電池が並列して配列され、両端にそれぞれ前記第１極性電極の端子と前記第２極性電極の端子が設けられた絶縁部材を備えることを特徴とする請求項１に記載のケーブル型二次電池の連結用ソケット。
【請求項７】
ケーブル型二次電池の第１極性端子と電気的に接続できる第１接続固定部及び前記第１接続固定部に対して回動可能な回動連結部を含む第１ソケットと、
前記ケーブル型二次電池の第２極性端子と電気的に接続でき、他のケーブル型二次電池の第１極性端子に連結された回動連結部と電気的に接続できる第２ソケットと、を備えることを特徴とするケーブル型二次電池の連結組立体。
【請求項８】
前記第１ソケットは前記第１接続固定部及び前記回動連結部の少なくとも１つが回動できる本体をさらに備えることを特徴とする請求項７に記載のケーブル型二次電池の連結組立体。
【請求項９】
前記回動連結部及び前記第２ソケットの少なくとも１つは、前記回動連結部及び前記第２ソケットの結合状態を固定できる固定部材をさらに備えることを特徴とする請求項７に記載のケーブル型二次電池の連結組立体。
【請求項１０】
前記ケーブル型二次電池は、正極、負極、および前記正極と前記負極との間に介在されたセパレータを含む細長い電極組立体を備え、
前記第１極性電極及び／または前記第２極性電極は長さ方向に直交する断面が円形、非対称楕円形または多角形である集電体の表面に電極活物質が塗布されて形成されることを特徴とする請求項７に記載のケーブル型二次電池の連結組立体。
【請求項１１】
前記第１ソケットの前記回動連結部は突出部を備え、前記第２ソケットは対応する前記突出部が挿し込まれる挿込部を備えることを特徴とする請求項７に記載のケーブル型二次電池の連結組立体。
【発明の詳細な説明】
【技術分野】
【０００１】
本発明は、ケーブル型二次電池の連結用ソケット及び連結組立体に関し、より詳しくは、複数の細長いケーブル型二次電池を相互直列に連結するときに使用できるケーブル型二次電池の連結用ソケット及び連結組立体に関する。
【背景技術】
【０００２】
近年、無線通信技術の発展はモバイル装置の大衆化を主導しており、このような無線通信技術の発達に伴って二次電池が装置の電源として必須に使用されるようになっている。さらに、環境汚染防止などの面から電気自動車、ハイブリッド自動車などが開発されているが、このような自動車の動力源としても二次電池が使用されている。
【０００３】
このように、二次電池は多くの産業分野でその使用が急増しており、使用される分野の特性に応じて二次電池の出力、容量、構造などが多様化している。
【０００４】
一般に、二次電池は、板状集電体の表面に活物質を塗布して正極と負極を構成し、正極と負極との間にセパレータを介在した形態の電極組立体を備える。このような電極組立体は、主に液体電解質または固体電解質とともに、円筒型または角形の金属缶、或いは、アルミニウムラミネートシートから構成されたパウチ型ケースの内部に収納される。また、電極組立体は、二次電池の容量を増大するため、シート状の正極／セパレータ／負極が巻き取られたゼリーロール（ｊｅｌｌｙ ｒｏｌｌ）構造、または、薄板状の複数の単位電極が順次積層された構造を有し得る。したがって、電極組立体における電極（正極及び負極）の構造は本質的に板状である。
【０００５】
このような従来の板状電極構造は、電極組立体を巻取または積層するとき、高い集積度を具現できるという長所はあるが、産業分野の必要に応じた構造の変形が困難であるという限界を有する。また、板状電極構造は充放電時、電極の体積変化に敏感であり、セル内部で発生するガスが外部へ容易に排出できず、電極間の電位差が大きくなり易いなどの様々な問題を有している。
【０００６】
特に、近年、需要者の多様なニーズに応えて二次電池を使用する装置の種類が多様化しているが、それら装置のデザインが重視される趨勢である。ところが、従来の構造及び／または形態（円筒型、角型またはパウチ型）の二次電池を特殊な形態の装置に適用するため、装置に別途の部分または空間を割り当てる概念または方式は、無線通信技術の拡張またはデザインの限界という面で近年の趨勢に大きい障害要因になる。例えば、新たに開発された装置において、二次電池を取り付ける空間が狭くて長い部分に限定される場合、従来の板状電極から構成される電極組立体を備える二次電池を装着することは本質的に不可能であるか又は非常に非効率的である。すなわち、従来の円筒型電池、コイン型電池、角型電池は特定形態を有するため、電池が使用される装置の装着部のサイズ及び／または形態に収められるように二次電池を捩じるかまたは曲げるなどの変形が不自由であって、使用が制限されるという問題がある。
【０００７】
このような問題を解消するため、本出願人は特許文献１「新規な構造の電極組立体及びそれを含む二次電池」を提示した。なお、特許文献１に開示された内容は、すべて本出願に援用される。
【０００８】
特許文献１に開示された二次電池は、細長い形態であって、長さ方向に伸縮可能なケーブル構造を有する（以下、「ケーブル型二次電池」とする）。しかし、１つのケーブル型二次電池を装置に取り付けて使用する場合は特に問題ないが、複数のケーブル型二次電池を直列に連結して装置に取り付けて使用する場合は、隣接した２つのケーブル型二次電池を相互連結するソケットが必要となるため、このようなソケットの開発が切実に求められている実情である。
【先行技術文献】
【特許文献】
【０００９】
【特許文献１】韓国特許登録第１０−１８０４４１１号（２００６年１月１７日出願、２００８年２月１２日登録）
【発明の概要】
【発明が解決しようとする課題】
【００１０】
本発明は、上記問題点に鑑みてなされたものであり、複雑な連結アダプタを別途に必要とせず、隣接する２つのケーブル型二次電池を簡単に直列連結できる構造を有するケーブル型二次電池の連結用ソケット及び連結組立体を提供することを目的とする。
【課題を解決するための手段】
【００１１】
上記の課題を達成するため、本発明の望ましい一実施例によるケーブル型二次電池の連結用ソケットは、ケーブル型二次電池の第１極性電極の端子と電気的に接続できる第１連結部と、他のケーブル型二次電池の第２極性電極の端子と電気的に接続できる第２連結部と、前記第１連結部及び前記第２連結部の少なくとも１つは回動自在であり、前記第１及び第２連結部と電気的に連結される本体と、を備える。
【００１２】
望ましくは、前記第１連結部及び前記第２連結部のいずれか１つは、それに対応する前記第１極性電極の端子または前記第２極性電極の端子の位置を固定できる固定部材をさらに備える。
【００１３】
望ましくは、前記固定部材は前記第１連結部及び前記第２連結部の少なくとも１つに設けられた留め金を備える。
【００１４】
望ましくは、前記第１極性電極は正極または負極の一方であり、前記第２極性電極は正極または負極の他方である。
【００１５】
望ましくは、前記ケーブル型二次電池は、第１極性電極、第２極性電極、および前記第１極性電極と前記第２極性電極との間に介在されたセパレータまたは電解質を含む細長い電極組立体を備え、前記第１極性電極及び／または前記第２極性電極は長さ方向に直交する断面が円形、非対称楕円形または多角形である集電体の表面に電極活物質が塗布されて形成される。
【００１６】
望ましくは、前記ケーブル型二次電池は少なくとも２つ以上の単位ケーブル型二次電池が並列して配列され、両端にそれぞれ前記第１極性電極の端子と前記第２極性電極の端子が設けられた絶縁部材を備える。
【００１７】
上記の課題を達成するため、本発明の望ましい一実施例によるケーブル型二次電池の連結組立体は、ケーブル型二次電池の第１極性電極の端子と電気的に接続できる第１接続固定部及び前記第１接続固定部に対して回動可能な回動連結部を含む第１ソケットと、前記ケーブル型二次電池の第２極性電極の端子と電気的に接続でき、他のケーブル型二次電池の第１極性電極の端子に連結された回動連結部と電気的に接続できる第２ソケットと、を備える。
【００１８】
望ましくは、前記第１ソケットは前記第１接続固定部及び前記回動連結部の少なくとも１つが回動できる本体をさらに備える。
【００１９】
望ましくは、前記回動連結部及び前記第２ソケットの少なくとも１つは、前記回動連結部及び前記第２ソケットの結合状態を固定できる固定部材をさらに備える。
【００２０】
望ましくは、前記ケーブル型二次電池は、正極、負極、および前記正極と前記負極との間に介在されたセパレータを含む細長い電極組立体を備え、前記第１極性電極及び／または前記第２極性電極は長さ方向に直交する断面が円形、非対称楕円形または多角形である集電体の表面に電極活物質が塗布されてなる。
【００２１】
望ましくは、前記第１ソケットの前記回動連結部は突出部を備え、前記第２ソケットは対応する前記突出部が挿し込まれる挿込部を備える。
【発明の効果】
【００２２】
本発明によるケーブル型二次電池の連結用ソケット及び連結組立体は、次のような効果を奏する。
【００２３】
第一、少なくとも２つ以上のケーブル型二次電池を直列連結するとき、別途の複雑な連結アダプタを必要とせず、連結用ソケットまたは連結組立体（雄ソケット及び雌ソケット）を使用することで、２つの隣接したケーブル型二次電池を簡単且つ容易に連結することができる。
【００２４】
第二、２つ以上のケーブル型二次電池を連結するとき、ソケットまたは連結組立体を使用することで、ケーブル型二次電池が要する電圧及び電気容量を保持し易い。
【００２５】
第三、本発明によるケーブル型二次電池の連結用ソケット及び連結組立体を使用すれば、例えばネックレス型ＰＤＡ、携帯電話などのネックレス型ストラップなどのように、二次電池の模様と形状を多様且つ特殊な構造に変形自在であるため、別途に二次電池を装着しなくても、ネックレス型二次電池から電源の供給を受けることができる。
【図面の簡単な説明】
【００２６】
本明細書に添付される次の図面は、上述した本発明の概要だけでなく、後述される本発明の望ましい実施例の詳細な説明とともに本発明の技術的な思想をさらに理解させる役割をする。本発明の望ましい実施例によるケーブル型二次電池の連結用ソケット及び連結組立体を説明するため、望ましい実施例の図面が示される。しかし、本発明は図面に記載された装置及び手段だけに限定されて解釈されてはならない。
【図１】本発明の望ましい一実施例によるケーブル型二次電池の連結用ソケットの要部を示した概略斜視図である。
【図２】図１の断面図である。
【図３】本発明の望ましい一実施例によるケーブル型二次電池の要部の構成を示した部分斜視図である。
【図４】図３の断面図である。
【図５】図１及び図２に示されたソケットによって複数のケーブル型二次電池が連結された構成を示した概略図である。
【図６】図６は、本発明の望ましい他の実施例による、シート状にパッケージングされたケーブル型二次電池を製造する工程を示した概略図である。
【図７】図７は、本発明の望ましい他の実施例による、シート状にパッケージングされたケーブル型二次電池を製造する工程を示した概略図である。
【図８】図８は、本発明の望ましい他の実施例による、シート状にパッケージングされたケーブル型二次電池を製造する工程を示した概略図である。
【図９】図８のＡ部分の拡大図である。
【図１０】本発明の望ましいさらに他の実施例によるケーブル型二次電池の連結組立体を示した概略図である。
【図１１】図１０に示された連結組立体の第１ソケットを示した図である。
【図１２】図１０に示された連結組立体の第２ソケットを示した図である。
【図１３】図１０の連結組立体が連結されたケーブル型二次電池を連結する前の分解図である。
【図１４】図１３の結合図である。
【図１５】図１４のような方式で連結されたシート状のケーブル型二次電池が折り畳まれる過程を説明する図である。
【発明を実施するための形態】
【００２７】
以下の詳細な説明で用いられる特定の用語は、便宜上用いられるものであって制限的なものではない。「右」、「左」、「上面」及び「下面」の単語は参照する図面における方向を表す。「内側に」及び「外側に」の単語は、それぞれ指定された装置、システム及びその部材の幾何学的中心に向かうか又はそこから遠ざかる方向を表す。「前方」、「後方」、「上方」、「下方」及びその関連単語又は語句は、参照する図面における位置及び方位を表し、制限的なものではない。このような用語は、上記の単語、その派生語、及び類似する意味の単語を含む。
【００２８】
以下、本発明の特定の実施例を図面を参照して説明する。
【００２９】
図１は本発明の望ましい一実施例によるケーブル型二次電池の連結用ソケットの要部を示した概略斜視図であり、図２は図１の断面図である。
【００３０】
図１及び図２を参照すれば、ケーブル型二次電池の連結用ソケット１００は、複数のケーブル型二次電池１０が相互直列に連結されるとき、隣接するケーブル型二次電池１０を相互連結するものであって、第１連結部１１０、第２連結部１２０、及び本体１３０を備える。
【００３１】
第１連結部１１０は、遠位端、及びそれに対向する近位端を備える。第１連結部１１０の遠位端は、第１極性電極の端子１２及び第２極性電極の端子１４を備える第１ケーブル型二次電池１３の第１極性電極の端子１２に選択的に接続できるように、第１極性電極の端子１２の終端部と型合わせ可能に長さ方向に所定長さ引き込まれて設けられた溝を備える。第１連結部１１０の近位端は本体１３０の一端に回動または固定できるように連結される。
【００３２】
第２連結部１２０も遠位端、及びそれに対向する近位端を備える。第２連結部１２０の遠位端は、第１極性電極の端子１６及び第２極性電極の端子１８を備える第２ケーブル型二次電池１５の第２極性電極の端子１８に選択的に接続できるように、第２極性電極の端子１８の終端部と型合わせ可能に長さ方向に引き込まれて設けられた溝を備える。第２連結部１２０の近位端は本体１３０の他端に回動または固定できるように連結される。
【００３３】
本体１３０は、第１連結部１１０及び第２連結部１２０の近位端に連結され、第１連結部１１０と第２連結部１２０共に本体１３０に対して回動する構造を有する。代案的に、第１連結部１１０と第２連結部１２０の一方のみが本体１３０に対して回動するように構成されても良い。
【００３４】
望ましい実施例において、本体１３０は中心に設けられた回動軸１３２、及び回動軸１３２を中心に対称して設けられた一対の突出部１３４を備える。ここで、回動軸１３２は第１連結部１１０及び第２連結部１２０が本体１３０に対して回動する基準点を意味する。したがって、第１連結部１１０及び第２連結部１２０のそれぞれの近位端には、本体１３０の突出部１３４が嵌合できるように引込部１１２、１２２が設けられる。一方、本体１３０、第１及び第２連結部１１０、１２０が、図示していない電線またはそれらの間に設けられ、選択的に接続可能な接続部などによって相互電気的に連結できることは、当業者であれば理解できるであろう。
【００３５】
第１及び第２連結部１１０、１２０の断面は、これらにそれぞれ接続されるケーブル型二次電池１０の断面と実質的に類似に構成される。例えば、相互連結されるケーブル型二次電池１０は、後述するように、実質的に円形、楕円形、四角形または六角形などの多角形断面を有し得るので、第１及び第２連結部１１０、１２０の断面と実質的に同一に構成することが望ましい。
【００３６】
第１連結部１１０及び第２連結部１２０は、それに対応する第１ケーブル型二次電池１３の第１極性電極の端子１２または第２ケーブル型二次電池１５の第２極性電極の端子１８がそれぞれ第１連結部１１０及び第２連結部１２０の溝に挿し込まれた後、第１極性電極の端子１２及び第２極性電極の端子１８の位置を選択的に固定できる固定部材１４０を備える。固定部材１４０は、第１ケーブル型二次電池１３の第１極性電極の端子１２または第２ケーブル型二次電池１５の第２極性電極の端子１８が第１連結部１１０または第２連結部１２０のそれぞれの溝に結合した場合、それぞれのケーブル型二次電池１０の端子１２、１８が対応する連結部１１０、１２０から分離されることを防止し、必要な場合、容易に端子１２、１８を分離するためのものである。そのために、固定部材１４０は第１連結部１１０及び第２連結部１２０の両側面に可動に設けられた留め金を備える。このような留め金は、端子１２、１８が連結部１１０、１２０に挿し込まれる場合、図示していないバネなどによって押されながら端子１２、１８を連結部１１０、１２０の定位置に固定することができる。また、留め金は、ユーザが押圧することで、端子１２、１８を連結部１１０、１２０から分離することができる構成である。また、固定部材１４０は、留め金の構造の外に、例えば、掛け金、ファスナー、固定具、固定ボタン、回転型ねじ、放射状のフックなどのように、周知であるかまたはこれから周知される全ての形態の固定のための要素を含むことを当業者であれば充分理解できるであろう。
【００３７】
上述した実施例において、それぞれのケーブル型二次電池１０は第１極性電極と第２極性電極との間にセパレータが介在された細長い電極組立体を備え、第１極性電極及び／または第２極性電極は長さ方向に直交する断面が円形、非対称楕円形または多角形である集電体の表面に電極活物質が塗布されてなる。第１極性電極は正極または負極の一方であり、第２極性電極は第１極性電極に対応する他方である。このような電極組立体は、上記特許文献１「新規した構造の電極組立体及びそれを含む二次電池」に開示されている。なお、特許文献１に開示された内容は、すべて本出願に援用される。
【００３８】
図３は本発明の望ましい一実施例によるケーブル型二次電池の要部の構成を示した部分斜視図であり、図４は図３の断面図である。図１及び図２にて説明された部材番号と同じ構成要素は、同じ機能を持つ同一部材である。
【００３９】
図３及び図４を参照すれば、本発明の望ましい一実施例によるシングルストリップ（ｓｉｎｇｌｅ ｓｔｒｉｐ）形態のケーブル型二次電池１０は、金属ホイルなどのような２次元集電体の表面に電極活物質が塗布された従来の板状電極組立体の構造と違って、断面が円形である細長いワイヤ状の３次元負極集電体１１の表面に負極活物質１３を設け、負極活物質１３の外面にセパレータまたは電解質を含む分離要素１５を介在して、分離要素１５の外面に正極活物質１７を設け、正極活物質１７の外面に正極集電体１９を設け、電極組立体の外面を保護被覆２０が包む構造である。ここで、正極と負極との順は、逆になっても良い。すなわち、細長いワイヤ状の正極集電体を中央内部に設け、その外周面にそれぞれ順に正極活物質、分離要素、負極活物質、及び負極集電体を構成することもできる。
【００４０】
一方、集電体の円形構造は、幾何学的に完全に対称する円形の外に非対称形の楕円構造を含み、多角形構造は２次元の板状でない限り特に制限されず、例えば、三角形、四角形、五角形、六角形構造などを含み、その角部は角をなした形態及び丸みを付けた形態を全て含む。電極活物質は円形または多角形構造の集電体の表面に塗布され、従来の二次電池と同様に、電解質から／にイオンを吸蔵／放出することで電子を移動させる作用をする。
【００４１】
代案的に、いわゆる、マルチストリップ形態のケーブル型二次電池は、細長い負極集電体の表面に負極活物質が塗布された複数の単位負極体の束の周りに電解質層を円筒型に構成した後、その外周面に正極活物質を設け、正極活物質の外周面に正極集電体を設け、その外周面を保護被覆で包む構成にすることもできる。また、マルチストリップ形態のケーブル型二次電池の他の変形例は、単位負極体の外周面に電解質層が設けれた組立体の束を設け、該束の周囲に正極活物質を円筒型に構成し、正極活物質の外周面に正極集電体を設けた後、保護被覆で包む構成にすることもできる。マルチストリップ形態のケーブル型二次電池のさらに他の変形例は、それぞれワイヤ状の集電体の外周面に対応する活物質が塗布された単位負極体または単位正極体のいずれか１つの周りに第１電解質層を設けた構造の複数の単位正極体および単位負極体の束を設け、それら束の周りに円筒型の第２電解質層を設けた後、保護被覆で包む構造にすることもできる。
【００４２】
図５は、図１及び図２に示された連結用ソケットによって複数のケーブル型二次電池が連結された構成を示した概略図である。図１ないし図４にて説明された部材番号と同じ構成要素は、同じ機能を持つ同一部材である。
【００４３】
図５を参照すれば、３つのケーブル型二次電池３０、４０、５０は２つの連結用ソケット１５０、１６０によって直列連結される。すなわち、第１ケーブル型二次電池３０の第１極性電極の端子１２は第１ソケット１５０の第２連結部１２０に連結され、第１ケーブル型二次電池３０の第２極性電極の端子１４は連結構造を持たない。第２ケーブル型二次電池４０の第１極性電極の端子１２は第２ソケット１５０の第２連結部１２０に連結され、第２ケーブル型二次電池４０の第２極性電極の端子１４は第１ソケット１５０の第１連結部１１０に連結される。第３ケーブル型二次電池５０の第２極性電極の端子１４は第２ソケット１６０の第２連結部１２０に連結され、第３ケーブル型二次電池５０の第１極性電極の端子１２は連結構造を持たない。
【００４４】
上述したように、直列に連結されるケーブル型二次電池１０の数より１つ少ない数の連結用ソケット１００を設けることで、所望の長さに二次電池を長さ方向に延長させることができる。
【００４５】
図６ないし図８は、本発明の望ましい他の実施例による、シート状にパッケージングされたケーブル型二次電池を製造する工程を示した概略図である。図９は、図８のＡ部分の拡大図である。図１ないし図５にて説明された部材番号と同じ構成要素は、同じ機能を持つ同一部材である。
【００４６】
図６ないし図９を参照すれば、本実施例によるケーブル型二次電池７０（図８を参照）は、いわゆる、シート状構造を有し、複数の単位ケーブル型二次電池１０を並べて配列した状態で、その外面を絶縁フィルム形態の絶縁部材７２で囲む構成である。また、シート状のケーブル型二次電池７０の両端にはそれぞれ第１極性端子７１及び第２極性端子７３が設けられる。それぞれの端子７１、７３は、図９に示されたように、金属タブ７１ａ、７３ａが高分子系の絶縁フィルム７５によって絶縁されている。
【００４７】
図１０は本発明のさらに他の望ましい実施例によるケーブル型二次電池の連結組立体を示した概略図であり、図１１は図１０に示された連結組立体の第１ソケットを示した図であり、図１２は図１０に示された連結組立体の第２ソケットを示した図であり、図１３は図１０の連結組立体が連結されたケーブル型二次電池を連結する前の分解図であり、図１４は図１３の結合図である。図１ないし図９にて説明された部材番号と同じ構成要素は、同じ機能を持つ同一部材である。
【００４８】
図１０ないし図１４を参照すれば、本実施例による連結組立体２００は、図６ないし図８に示されたような複数の単位ケーブル型二次電池１０がパッケージングされた複数のシート状のケーブル型二次電池７０を直列連結するためのものである。また、本実施例による連結組立体２００は、第１ソケット２１０及び第２ソケット２２０を備える。第１ソケット２１０の一端はシート状のケーブル型二次電池７０の第１極性端子７１に連結されて固定され、第２ソケット２２０の一端はシート状のケーブル型二次電池７０の第２極性端子７３に連結されて固定される。シート状のケーブル型二次電池７０の第１極性端子７１と第２極性端子７３にそれぞれ第１ソケット２１０と第２ソケット２２０が連結されて固定された状態で、第１ソケット２１０は他の第２ソケット２２０と結合され得る。
【００４９】
第１ソケット２１０は、シート状のケーブル型二次電池７０の、例えば正極端子のような第１極性端子７１と電気的に接続できる第１接続固定部２１２、第１接続固定部２１２に対して回動可能な回動連結部２１４、第１接続固定部２１２と回動連結部２１４を回動連結するための本体２１６を含む。すなわち、第１ソケット２１０は第１接続固定部２１２及び回動連結部２１４のうち少なくとも１つが本体２１６に対して回動できる構造を有する。また、第１接続固定部２１２及び回動連結部２１４は、それぞれ本体２１６と電気的に接続される。回動連結部２１４には、他の二次電池７０に連結された第２ソケット２２０の挿込部２２２に挿し込まれる突出部２１８が備えられる。
【００５０】
上述したように、第２ソケット２２０の一端はシート状のケーブル型二次電池７０の、例えば負極のような第２極性端子７３と電気的に接続されて固定され、第２ソケット２２０の他端には他の二次電池７０の第１ソケット２１０の回動連結部２１４の突出部２１８が挿し込まれる挿込部２２２が設けられる。すなわち、第１ソケット２１０の突出部２１８及び第２ソケット２２０の挿込部２２２は、連結を要する２つの二次電池７０を相互連結または分離させるためのものであるため、突出部２１８と挿込部２２２との連結／分離作業は選択的に行われ得る。また、使用上、連結が解除されない程度の連結状態が維持できる構造を有することが望ましい。ここで、連結とは電気的連結を含む概念である。
【００５１】
本実施例によれば、突出部２１８と挿込部２２２との間を容易に連結／解除するために、第１ソケット２１０及び第２ソケット２２０のいずれか一方に固定部材２４０を設けることができる。図１２には、固定部材２４０が第２ソケット２２０に設けられた状態を示した。すなわち、第２ソケット２２０に設けられた固定部材２４０は、第２ソケット２２０の挿込部２２２に挿し込まれる対応する第１ソケット２１０の突出部２２８の位置を選択的に固定または解除させるためのものである。
【００５２】
図１５は、図１４のような方式で連結されたシート状のケーブル型二次電池が折り畳まれる過程を説明する図である。
【００５３】
図１４及び図１５を参照すれば、それぞれのシート状のケーブル型二次電池７０の、例えば正極のような第１極性端子７１には第１ソケット２１０が連結され、負極のような第２極性端子７３には第２ソケット２２０が連結されている。その後、１つの組立体の第１ソケット２１０は、他の連結組立体２００の第２ソケット２２０と連結されている。この状態で、図１５に示されたように、１つのシート状のケーブル型二次電池７０に連結された第１ソケット２１０において、回動連結部２１４を第１接続固定部２１２に対して所望の角度に回動させることができる。
【００５４】
前述した詳細な説明及び図面は、本発明の望ましい実施例を例示するものであり、特許請求の範囲で定義された本発明の思想及び範囲から逸脱しない限り、多様な付加物、変形物、組合せ及び／または代替物が有り得ることを理解せねばならない。特に、本発明は他の要素、物質、成分を用いて本発明の思想及び必須特徴から逸脱しない範囲内で、他の特定の形態、構造、配列、比率で具現され得る。本発明の原則から逸脱しない限り、特定の環境及び作動条件に特に適するようになった構造、配列、比率、物質、成分の多くの変形とともに本発明は用いられ得る。また、本明細書で説明された特徴は、単独で使用することも、他の特徴と組み合わせて使用することもできる。例えば、１つの実施例に係って説明された特徴を、他の実施例で説明された特徴と共に及び／または相互入れ替えて使用することができる。したがって、開示された上記の実施例の全ては、制限的なものではなく、説明的なものとして解釈されねばならず、本発明の範囲は特許請求の範囲によって示され、前述した詳細な説明に限定されてはならない。
【００５５】
添付の特許請求の範囲の広い範囲から逸脱しない限り、本発明の多様な変形及び変更があり得、それらの幾つかは前述されたようであり、他のものは当業者にとっては明白であろう。
【符号の説明】
【００５６】
１０、１３、１５、３０、４０、５０    二次電池
７０    シート状のケーブル型二次電池
１    負極集電体
３    正極活物質
５    分離要素
７    正極活物質
９    正極集電体
１２、１６    第１極性電極の端子
１４、１８    第２極性電極の端子
２０    保護被覆
７１    第１極性端子
７２    絶縁部材
７３    第２極性端子
１１０    第１連結部
１１２、１２２   引込部
１２０    第２連結部
１３０    本体
１３２    回動軸
１３４    突出部
２００    連結組立体
２１０    第１ソケット
２２０    第２ソケット
【図１】
2013542576.tif 000003
【図２】
2013542576.tif 000004
【図３】
2013542576.tif 000005
【図４】
2013542576.tif 000006
【図５】
2013542576.tif 000007
【図６】
2013542576.tif 000008
【図７】
2013542576.tif 000009
【図８】
2013542576.tif 000010
【図９】
2013542576.tif 000011
【図１０】
2013542576.tif 000012
【図１１】
2013542576.tif 000013
【図１２】
2013542576.tif 000014
【図１３】
2013542576.tif 000015
【図１４】
2013542576.tif 000016
【図１５】
2013542576.tif 000017
【手続補正書】
【提出日】平成25年6月21日(2013.6.21)
【手続補正１】
【補正対象書類名】特許請求の範囲
【補正対象項目名】全文
【補正方法】変更
【補正の内容】
【特許請求の範囲】
【請求項１】
ケーブル型二次電池の第１極性電極の端子と電気的に接続できる第１連結部と、
他のケーブル型二次電池の第２極性電極の端子と電気的に接続できる第２連結部と、
前記第１連結部及び前記第２連結部の少なくとも１つが回動自在であり、前記第１連結部及び前記第２連結部と電気的に連結される本体と、を備えることを特徴とするケーブル型二次電池の連結用ソケット。
【請求項２】
前記第１連結部及び前記第２連結部のいずれか１つは、それに対応する前記第１極性電極の端子または前記第２極性電極の端子の位置を固定する固定部材をさらに備えることを特徴とする請求項１に記載のケーブル型二次電池の連結用ソケット。
【請求項３】
前記固定部材は、前記第１連結部及び前記第２連結部の少なくとも１つに設けられた留め金を備えることを特徴とする請求項２に記載のケーブル型二次電池の連結用ソケット。
【請求項４】
前記第１極性電極は正極または負極の一方であり、前記第２極性電極は正極または負極の他方であることを特徴とする請求項１〜３のいずれか一項に記載のケーブル型二次電池の連結用ソケット。
【請求項５】
前記ケーブル型二次電池は、第１極性電極、第２極性電極および前記第１極性電極と前記第２極性電極との間に介在されたセパレータまたは電解質を含む細長い電極組立体を備え、
前記第１極性電極及び／または前記第２極性電極は長さ方向に直交する断面が円形、非対称楕円形または多角形である集電体の表面に電極活物質が塗布されて形成されることを特徴とする請求項１〜４のいずれか一項に記載のケーブル型二次電池の連結用ソケット。
【請求項６】
前記ケーブル型二次電池は少なくとも２つ以上の単位ケーブル型二次電池が並列して配列され、両端にそれぞれ前記第１極性電極の端子と前記第２極性電極の端子が設けられた絶縁部材を備えることを特徴とする請求項１〜５のいずれか一項に記載のケーブル型二次電池の連結用ソケット。
【請求項７】
ケーブル型二次電池の第１極性端子と電気的に接続できる第１接続固定部及び前記第１接続固定部に対して回動可能な回動連結部を含む第１ソケットと、
前記ケーブル型二次電池の第２極性端子と電気的に接続でき、他のケーブル型二次電池の第１極性端子に連結された回動連結部と電気的に接続できる第２ソケットと、を備えることを特徴とするケーブル型二次電池の連結組立体。
【請求項８】
前記第１ソケットは前記第１接続固定部及び前記回動連結部の少なくとも１つが回動できる本体をさらに備えることを特徴とする請求項７に記載のケーブル型二次電池の連結組立体。
【請求項９】
前記回動連結部及び前記第２ソケットの少なくとも１つは、前記回動連結部及び前記第２ソケットの結合状態を固定できる固定部材をさらに備えることを特徴とする請求項７または８に記載のケーブル型二次電池の連結組立体。
【請求項１０】
前記ケーブル型二次電池は、正極、負極、および前記正極と前記負極との間に介在されたセパレータを含む細長い電極組立体を備え、
前記第１極性電極及び／または前記第２極性電極は長さ方向に直交する断面が円形、非対称楕円形または多角形である集電体の表面に電極活物質が塗布されて形成されることを特徴とする請求項７〜９のいずれか一項に記載のケーブル型二次電池の連結組立体。
【請求項１１】
前記第１ソケットの前記回動連結部は突出部を備え、前記第２ソケットは対応する前記突出部が挿し込まれる挿込部を備えることを特徴とする請求項７〜１０のいずれか一項に記載のケーブル型二次電池の連結組立体。
【国際調査報告】
2013542576.tif 000018
2013542576.tif 000019
2013542576.tif 000020
2013542576.tif 000021